(57)【要約】      （修正有）【課題】釣り竿にセットした生き餌を海に投げ入れた時の直接的衝撃負担と、又釣り糸の絡まり、そして海遊魚のいる棚場でケースがスライドし、海遊魚がケースへの猜疑を取り除く。【解決手段】ケース本体を二重構造とし、外側ケース１には上部シャフト３、浮き４、内側ケースに二本の側面シャフト５を設置し、その側面には空気口６を設け、内側ケース２の内側面には補助パイプ７、中央前面には生き餌出入口の空洞部８、低部には底蓋９、錘１０、スライドシャフトの先端は一本化とし、縒り戻し１１を設け、又前記上部シャフト３は内側ケース２を貫いた一本の中心軸スライドシャフトとした時、針素等の絡まりを防ぐ壁体１２を形成した。【選択図】図１
0003129775.tif 000002
【実用新案登録請求の範囲】
【請求項１】
ケース本体は外側ケース１と内側ケース２がスライドする二重構造とし、前記外側ケース１の上部シャフト３、浮き４、内側ケースがスライドする為の二本のスライドシャフト５を設置し、側面には空気口６を設け、内側ケース２の内側面にはスライド補助パイプ７、中央前面には生き餌出入り口の空洞部８、低部には底蓋９、錘１０、スライドシャフトの先端は一本化し、縒り戻し１１を設けた当該ケースに生き餌を収納し、海面へ投げ入れることで生き餌の海面での直接的衝撃負担を取り除くことを特徴とした、釣り用生き餌入れケース浮き。
【請求項２】
ケース本体の外側ケース１の上部に設置した上部シャフト３を、内側ケース２を貫いた一本の中心軸スライドシャフト３とし、内側ケース２の空洞部８に壁体１２を形成し釣り糸の絡まりを防ぐ、釣り用生き餌入れケース浮き。
【請求項３】
ケース本体の外側ケース１の上部シャフト３を内側ケース２の上部に固定するスライドシャフト３とし外側ケース１の上部には内蔵浮き１３を設け、内側ケース２の上部には小魚の出入り口１４、空気口付境界板１５を設け、低部には糸巻き１６、糸巻きつまみ１７、変速ギア１８、糸通し口１９、絡まり防止板２０、低部開閉用ネジ山２１を設けた海中でスライドし、生き餌がケースより離れた場所で泳ぎ回る事を可能とした、釣り用生き餌入れケース浮き。
【考案の詳細な説明】
【技術分野】
【０００１】  本考案は、生きた釣り餌をケースに入れた状態で海へ投げ入れる為の、釣り用生き餌入れケース浮きに関するものである。
【背景の技術】
【０００２】  海でイカ釣りなどをする場合、生き餌のアジなどを直接釣り針に掛けて海面に投げ入れていたので、生き餌が針から外れたり、海面での衝撃ですぐに弱るなどしていた。一方、従来の餌カゴには小魚のコマセなどを入れるものもある。
【考案の開示】
【考案が解決しようとする課題】
【０００３】  ケースに生き餌を入れる事に依り海へ投げ入れたとき、海面での生き餌の直接的衝撃負担と釣り糸の絡まり、又海遊魚が本体ケースに猜疑を持つ事を取り除こうとしている。
【課題を解決するための手段】
【０００４】  本考案は、本体ケースを外側ケースと内側ケースの二重構造とし、外側ケースの上部に浮きを設置し、上部内面にはスライドシャフトを固定、側面にはスライドを容易にする為の空気口を設け、内側ケースには生き餌出入り口の空洞部を設けて、海へ投げ入れた時内側ケースが低部の錘の作用でスライドし、空洞部から生き餌が泳ぎ出す事と、又釣り糸の絡まりを防ぐための壁体を空洞部に設け、そして低部には糸巻きを設けたことで問題点を解決している。
【考案の効果】
【０００５】  前述のように、本考案の釣り用生き餌入れケース浮きに釣り餌の生き餌を入れて海面に投げ入れる事により、生き餌に直接的衝撃負担がかからず泳ぎだすので、生き餌が長持ちし経済的負担も軽く、又スライドシャフトを一本の中心軸とした時、壁体を形成したので生き餌にセットした針素等の絡まりを無くしてスムーズに海中に泳ぎ出し、そして、低部に設けた糸巻きの釣り糸を解しながら生き餌がケース本体より離れた場所で泳ぎ回る事を可能としたので、海遊魚がケースに猜疑せず生き餌に掛かる事を容易とした。
【考案を実施するための最良の形態】
【０００６】  ケース本体は二重構造とし、内側ケースには生き餌出入り口の空洞部を設け、海へ投げ入れた後、内側ケース低部の錘の作用で海中でスライドし生き餌が空洞部より泳ぎ出し、外側ケースは上部に浮きを設置してあるので、海面に浮いている状態である。【０００７】  又、ケース本体の中心軸とした一本のスライドシャフトに釣り糸の絡まりを防ぐ壁体を形成した。【０００８】  そして、ケース本体が海中の棚場でスライドする為に外側ケース上部の内側に浮きを内蔵し、低部にはケースより離れた場所で、生き餌が泳ぎ回るための針素用の糸巻きを設けた。
【実施例】
【０００９】  以下添付図に従って実施例を説明する。本体ケースは二重構造とし、外側ケース１の上部外面には上部シャフト３、浮き４、上部両側面にはスライドシャフト５を固定し、側面には空気口６を設け、両側面にはスライド補助パイプ７、内側ケースの中央部前面には生き餌出入り口の空洞部８、低部には底蓋９、錘１０、スライドシャフトの先端は一本化し縒り戻し１１を設ける。【００１０】  前述のように本体ケースの内側ケース２に生き餌をセットし、海面に投入すると外側ケース１は浮き４の作用で海面に浮いている状態となり、内側ケースは低部の錘１０の作用で海中へスライドして沈み込み、空洞部８の部分より針素をセットした生き餌が泳ぎ出す。【００１１】  空気口６は、内側ケースがスライドを容易にさせ、スライドシャフト５、スライド補助パイプ７は内側ケースを安定的にスライドさせる為のものであり、スライドパイプの先端には釣り糸の絡まりを防ぐ為の縒りもどし１１、底蓋１１は空洞部８と錘１０との境界蓋である。【００１２】  又、ケース本体の外側ケース１の二本のスライドシャフト５を排除し、上部シャフト３が内側ケース２を貫いた一本の中心軸スライドシャフト３とし、空洞部８に生き餌にセットした釣り糸等の絡まりを防ぐ為に壁体１２を形成した。【００１３】  そして、ケース本体の外側ケース１の上部内側に内蔵浮き１３を設け、上部シャフト３は一本のスライドシャフト３とし、内側ケース上部に固定、シャフト上部に縒り戻し１１を設け、内側ケース２の上部には小魚等の、コマセ出入口１４、空気口付境界板１５を設け、低部には糸巻き１６、糸巻きつまみ１７、変速ギア１８、糸通し口１９、絡まり防止板２０、低部開閉用ネジ山２１を設け、シャフト上部に設置した縒り戻し１１部分を釣竿の道糸にセットし、海面に投げ入れた時ケース本体が海中の棚場でスライドし、内側ケース２の上部からはコマセが零れ出し、空洞部８より針素をセットした生き餌が低部に設けた糸巻き１６の釣り糸を解きながら、ケースより離れた場所で泳ぎ回る事が出来、解れた釣り糸は変速ギア１８と糸巻きつまみ１７で容易に巻き戻すことが出来る。
【図面の簡単な説明】
【００１４】
【図１】  本考案の釣り用生き餌入れケース浮きの実施例を示す該略断面図である。
【図２】  本考案の釣り用生き餌入れケース浮きの内側ケースが、外側ケース内に収納した時の該略断面図である。
【図３】  本考案の釣り用生き餌入れケース浮きのスライドシャフトを一本の中心軸とした時の空洞部に、壁体を形成した該略断面図である。
【図４】  本考案の釣り用生き餌入れケース浮きに糸巻きを設けた該略断面図である。
【図５】  本考案の釣り用生き餌入れケース浮きの該略斜視図である。
【符号の説明】
【００１５】  １  本体外側ケース
２  本体内側ケース
３  上部シャフト
４  浮き
５  側面シャフト
６  空気口
７  スライド補助パイプ
８  空洞部
９  底蓋
１０  錘
１１  縒り戻し
１２  壁体
１３  内蔵浮き
１４  コマセ出入口
１５  空気口付境界板
１６  糸巻き
１７  糸巻きつまみ
１８  変速ギア
１９  糸通し口
２０  絡まり防止板
２１  開閉用ネジ山
【図１】
0003129775.tif 000003
【図２】
0003129775.tif 000004
【図３】
0003129775.tif 000005
【図４】
0003129775.tif 000006
【図５】
0003129775.tif 000007